(57)【要約】      （修正有）【課題】繰出し容器を使用しない際、机等の上に置いた場合の不要の転がりを防止し、且つ片手で簡単に開けることができる操出し容器用キャップを提供する。【解決手段】固形状の内容物を容器から突出させる繰出し容器２用のキャップ１であって、キャップ１の側面に、軸線方向に沿って外方に向けて突出する膨出部５を有する。より具体的には、膨出部５を有するキャップ１の断面形状がしずく型であり、膨出部５は、キャップ１の一端から他端に向けて、徐々に突出する形状としている。【選択図】図１
0003186606.tif 000002
【実用新案登録請求の範囲】
【請求項１】
固形状の内容物を容器から突出させる繰出し容器用のキャップであって、
前記キャップの側面に、軸線方向に沿って外方に向けて突出する膨出部を有する、
ことを特徴とする繰出し容器用キャップ。
【請求項２】
前記膨出部を有するキャップの断面形状がしずく型である、
ことを特徴とする請求項１記載の繰出し容器用キャップ。
【請求項３】
前記膨出部を、側面に１つ有する、
ことを特徴とする請求項１又は２に記載の繰出し容器用キャップ。
【請求項４】
前記膨出部を、側面に複数有する、
ことを特徴とする請求項１又は２に記載の繰出し容器用キャップ。
【請求項５】
前記膨出部は、前記キャップの軸線方向一端から他端まで連続して形成されている、
ことを特徴とする請求項１ないし４のいずれか１項に記載の繰出し容器用キャップ。
【請求項６】
前記膨出部は、前記キャップの軸線方向一端から他端までの間の任意の箇所に形成されている、
ことを特徴とする請求項１ないし４のいずれか１項に記載の繰出し容器用キャップ。
【請求項７】
前記膨出部は、前記キャップの一端から他端に向けて、徐々に突出する、
ことを特徴とする請求項５に記載の繰出し容器用キャップ。
【請求項８】
前記繰出し容器の外形が、断面円形である、
ことを特徴とする請求項１ないし７のいずれか１項に記載の繰出し容器用キャップ。
【請求項９】
前記繰出し容器の外形が、断面多角形である、
ことを特徴とする請求項１ないし７のいずれか１項に記載の繰出し容器用キャップ。
【請求項１０】
前記繰出し容器用キャップと前記繰出し容器とは、ネジ又は凹凸で嵌合する、
ことを特徴とする請求項１ないし９のいずれか１項に記載の繰出し容器用キャップ。
【請求項１１】
前記繰出し容器用キャップと前記繰出し容器との嵌合部分は、共に断面円形である、
ことを特徴とする請求項１ないし１０のいずれか１項に記載の繰出し容器用キャップ。
【考案の詳細な説明】
【技術分野】
【０００１】
本考案は、固形状の内容物を容器から突出させる繰出し容器用キャップの構造に関する。
【背景技術】
【０００２】
固形糊や口紅などに用いられる繰出し容器は、棒状に固化した固形物を筒状の軸体内に収納し、これを必要に応じて所定の繰出し機構により、順次繰出すようにしたものである。
当該繰出し容器は、断面が円形形状のものが一般的であり、それに併せて尾栓（つまみ部）やキャップも断面円形状に形成している。前記尾栓やキャップには、意匠性及び操作性の観点から、軸線方向に沿って、凹凸から成るローレットや溝を形成しているものもある。
【０００３】
この種の容器は、机上等の平面上に横置きした際、ちょっとしたことで勝手に転がってしまい、落下してしまうこともある。このため、実開平５−０２９９７９号公報（特許文献１参照）には、繰出し容器の尾栓の外面に、軸線方向に沿った複数の平坦面を形成し、繰出し操作時の指当たりを良好にするとともに、転がり防止の機能を有する考案が開示されている。
【０００４】
またこの種の容器は、キャップ内部に内容物が固まってしまうことで粘着が発生してしまい、キャップの取外しが困難となる問題も発生する。上記特許文献１記載の発明では、内容物の繰り出し易さや容器の転がりを防止できても、キャップの取外しの困難性に係る問題は依然として残ってしまう。
【０００５】
一方、特開２００２−０８６９８９号（特許文献２参照）には、繰出し容器本体及びキャップの形状を四角形状にしたものが開示されている。
【０００６】
この形状は転がり防止という点では、ある程度の効果を奏すると言えるものの、本体の重心がキャップの底辺付近に位置するため、不使用時においてキャップを中心に本体軸が回転してしまうという運動が生じることから、やはり転がり防止の観点から不十分と言わざるを得ない。
【０００７】
また、当該四角形状のキャップの内面は同じく四角形状で、キャップと嵌合する繰出し容器の先端も四角形状であるため、開封の際には両者を軸線方向に引っ張るしかなく、取り外し難く、かつ内容物がキャップ部分に付着しやすくなり、衛生面での問題もある。
【先行技術文献】
【特許文献】
【０００８】
【特許文献１】実開平５−０２９９７９号公報
【特許文献２】特開２００２−０８６９８９号
【考案の概要】
【考案が解決しようとする課題】
【０００９】
本考案は、繰出し容器本体の転がりを防止すると同時に、従来同様に本体を握り易い形状にしながら、特に、キャップとかつ繰出し容器本体とがネジ式で嵌合する場合には、老若男女問わず、小さい力で取外しが容易なキャップを提供することを目的とする。
【課題を解決するための手段】
【００１０】
本考案は、上記課題を解決するため、固形状の内容物を容器から突出させる繰出し容器用のキャップであって、前記キャップの側面に、軸線方向に沿って外方に向けて突出する膨出部を有する、ことを特徴とする。
【考案の効果】
【００１１】
本考案の繰出し容器用キャップによれば、従来のキャップと比較して、横置き時の転がり防止効果を高めるとともに、且つ小さな力で取り外しが可能となる。また、繰出し容器本体部に特別の構造を要求しないため、従来どおりの握り易い形状の繰出し容器をそのまま利用することが出来る。
【図面の簡単な説明】
【００１２】
【図１】繰出し容器に本考案のキャップを装着した全体図
【図２】本考案に係るキャップの平面図及び断面図
【図３】本考案に係るキャップを机等に置いた状態を示す正面図
【図４】本考案に係るキャップを手で握って開封する動作を示す参考図
【図５】膨出部を複数有するキャップの平面図及び断面図
【図６】他の形状を有する膨出部を有するキャップの平面図及び断面図（１）
【図７】他の形状を有する膨出部を有するキャップの平面図及び断面図（２）
【図８】他の形状を有する膨出部を有するキャップの平面図及び断面図（３）
【図９】他の形状を有する膨出部を有するキャップの平面図及び断面図（４）
【図１０】他の形状を有する膨出部を有するキャップの平面図及び断面図（５）
【図１１】他の形状を有する膨出部を有するキャップの平面図及び断面図（６）
【考案を実施するための形態】
【００１３】
以下、本考案の実施形態を、図面を用いて説明する。尚、同じ部材、同じ箇所を示すものは同じ符号を付している。
【００１４】
図１は、本考案に係るキャップ１を装着した状態の繰出し容器２全体を示す図である。繰出し容器２内には、固形糊が収容されている。
【００１５】
繰出し容器２は、従来製品そのままであり、例えば長さ５５．０ｍｍ程度で、下端内径１３．２ｍｍ程度、上端内径１３．６ｍｍ程度の抜き勾配を有するポリプロピレン等の硬質樹脂から構成され、繰出し容器２の後端には、回動自在に尾栓３が軸装されている。繰出し容器２内には、図示しないねじ杆と、このねじ杆に螺合されて繰出し容器２内に昇降自在に嵌装されているスライダーとにより、内容物である糊が繰出される仕組みとなっている。本願考案の実施においては、繰出し容器２の構造について特に制限はなく、従来のあらゆる繰出し容器２に適用可能である。
【００１６】
本考案に係るキャップ１の構造について説明する。図２は、キャップ１の平面図及び軸線方向断面図を示している。図２に示されるように、キャップ１の一端は、繰出し容器２に装着する開口部４を有し、当該一端の外形形状は、繰出し容器２の外形形状と略同じとしている。
【００１７】
一方、キャップ１の他端は、平面視において「しずく型」形状となっており、キャップ１には、当該「しずく型」となるように、キャップ１の一側面上に上記一端から他端に向けて徐々に突出する膨出部５が形成されている。当該膨出部５は、キャップ１の成形時に一体に成形するが、円筒状のキャップと膨出部を別々に成形した後、接着剤等で一体化するようにしても良い。またキャップ１及び膨出部５は、例えばポリプロピレン樹脂、ポリエチレン樹脂等で成形されるが、これ以外の樹脂、その他材料であっても良い。なお、膨出部５の突出量（高さ、幅）は、本考案が奏する回転防止機能、開封操作性機能の両機能とともに、意匠性や実用性を考慮して、適宜に決定すれば良い。意匠性や指当たりの感触を無視すれば、膨出部は「しずく型」ではなく、断面矩形、台形であっても良い（図７、８参照）。
【００１８】
図３は、当該キャップ１を装着した繰出し容器２を卓上に横置したとき、キャップが卓上面への接触状況を示す図である。図３から明らかな様に、しずく型形状を有するキャップ１の膨出部５が卓上面に接し、繰出し容器２の回転移動を阻止するストッパー機能を有している。
【００１９】
また、万が一、繰出し容器２が卓上から床面に落下しても、膨出部５によって床面上において必要以上に転がることもない。
【００２０】
図４は、繰出し容器２からキャップ１を取り外す際の参考図である。特に、キャップとかつ繰出し容器本体とがネジ式で嵌合する場合、しずく型形状で、滑らかな曲面を有するキャップ１の膨出部５を片手の親指で押すことで、指当たりの感触も良好で、簡単にキャップを開けることができるため、手を汚すことなく、テコの原理によって小さい力でも容易に開封することができる。なお、本考案では特に限定しないが、キャップ１と繰出し容器２とは、両者の面摩擦により嵌め合うようにしてもよく、また凹凸式で嵌め合うようにしても良い。上記のとおり、ネジ式であれば、片手でより簡単に開封することができる。
【００２１】
なお、上記実施例では、繰出し容器２の外形形状に合わせて断面円形のキャップ１に膨出部５を設ける例を示したが、キャップ１は外形が断面多角形構造でも良い。また、繰出し容器２の外形断面形状と同じでなくても良い。なお、キャップ１と繰出し容器２との嵌合部分の断面形状は特に限定しないが、「キャップの取外し易さ」を最大限に発揮するには、キャップ１の内面と繰出し容器２の先端外形は、円形で嵌合するものであることが望ましい。
【００２２】
また、上記実施例では、キャップ１に１つの膨出部５を設けて平面視「しずく型」となる例を示したが、膨出部５を２つ又は３つ、或いはそれ以上複数設けても良い。卓上での繰出し容器２の回転を阻止し、かつキャップ１を片手で簡単に開ける機能を発揮する膨出部であれば、その数、形状に限定されない。図５は、膨出部５を３つ有する例を示している。
【００２３】
また、上記実施例では、膨出部５を、キャップ１の一端から他端に向けて徐々の突出する構造としているが、図６、図８に示すように、一端から他端まで、同じ高さ、同じ幅の構造であっても良い。また、図７、図８に示すように、膨出部５の断面形状は、指当たりの感触を無視すれば、しずく型に限らず、矩形、台形等であっても良い。
【００２４】
また、上記実施例では、キャップ１の軸線方向一端から他端に至るまで連続した膨出部５が形成されているが、キャップ側面の一部（一端から他端の間）に形成しても良い（図９、１０、１１参照）。
【００２５】
また、上記実施例では、膨出部５を樹脂で中実に形成しているが、中空構造としても良い。その場合、キャップ１の他端から蓋を被せて中空部分を隠しても良いし、中空のままとしても良い。
【産業上の利用可能性】
【００２６】
本考案に係るキャップは、実施例で示した固形糊用の繰出し容器に限らず、口紅、リップクリーム等、様々な繰出し容器に適用することができる。
【符号の説明】
【００２７】
１    キャップ
２    繰出し容器
３    尾栓
４    開口部
５    膨出部
【図１】
0003186606.tif 000003
【図２】
0003186606.tif 000004
【図３】
0003186606.tif 000005
【図４】
0003186606.tif 000006
【図５】
0003186606.tif 000007
【図６】
0003186606.tif 000008
【図７】
0003186606.tif 000009
【図８】
0003186606.tif 000010
【図９】
0003186606.tif 000011
【図１０】
0003186606.tif 000012
【図１１】
0003186606.tif 000013